(57)【要約】【課題】類似する画像について効率的に保存・表示する手段を提供することにより、利用者にとって使い勝手の良い撮影装置を提供すること。【解決手段】撮影により画像を取得する撮影部と、撮影部により撮影された画像を記憶する記憶部と、記憶部に記憶されている画像を表示する表示部と、を備え、画像を解析して特徴点を抽出する画像解析部４２と、画像の特徴点と、記憶部に記憶されている画像の特徴点を比較し、撮影された画像に類似する画像が記憶部６０に記憶されているか否かを判定する類似画像判定部と、記憶部６０は、類似画像判定部により、撮影部により撮影された画像が、記憶部６０に記憶されていないと判定された場合に、撮影部により撮影された画像を記憶する。【選択図】図３
2010278927.tif 000002
【特許請求の範囲】
【請求項１】
撮影により画像を取得する撮影部と、前記撮影部により撮影された画像を記憶する記憶部と、前記記憶部に記憶されている画像を表示する表示部と、を備えた撮影装置において、
画像を解析して特徴点を抽出する画像解析部と、
前記撮影部により撮影された画像の特徴点と、前記記憶部に記憶されている画像の特徴点を比較し、撮影された画像に類似する画像が前記記憶部に記憶されているか否かを判定する類似画像判定部と、
前記記憶部は、前記類似画像判定部により、前記撮影部により撮影された画像が、前記記憶部に記憶されていないと判定された場合に、前記撮影部により撮影された画像を記憶することを特徴とする撮影装置。
【請求項２】
前記画像が、撮影部により取得されたときの固有データを管理する固有データ管理部を更に備え、
前記類似画像判定部は、前記撮影部により撮影された画像の固有データと、前記記憶部に記憶されている画像の固有データとを比較することにより、撮影された画像に類似する画像が前記記憶部に記憶されているか否かを判定することを特徴とする請求項１に記載の撮影装置。
【請求項３】
前記記憶部は、前記撮影部により撮影された画像の固有データと、前記類似画像判定部により判定された類似する画像の固有データとを比較し、前記撮影部により撮影された画像の方が撮影条件が良い場合には、前記撮影部により撮影された画像を記憶し、類似する画像を破棄することを特徴とする請求項２に記載の撮影装置。
【請求項４】
前記画像を記憶するために、前記記憶部とは異なる補助記憶部を更に備えることを特徴とする請求項１から３の何れか一項に記載の撮影装置。
【請求項５】
前記記憶部に記憶されている画像を選択する画像選択部を更に備え、
前記類似画像判定部は、前記画像選択部により選択された画像の特徴点と、前記記憶部に記憶されている画像の特徴点を比較し、撮影された画像に類似する画像が前記記憶部に記憶されているか否かを判定し、
前記表示部は、前記選択部により選択された画像に類似する画像が、前記記憶部に記憶されている場合には、前記画像選択部により選択された画像を表示しないことを特徴とする請求項１から４の何れか一項に記載の撮影装置。
【発明の詳細な説明】
【技術分野】
【０００１】
本発明は、撮影により画像を取得する撮影手段と、前記撮影手段により撮影された画像を記憶する記憶手段と、前記記憶手段に記憶されている画像を表示する表示手段と、を備えた撮影装置に関する。
【背景技術】
【０００２】
従来の撮影装置では、撮影した写真はすべて保存することを前提に、数多く保存されている写真をいかに管理するかが重要視されてきた。多くの写真を効率的に保存するためには、事前に利用者に設定を求め、また保存する方法を変更する場合にも利用者の設定が必要であった。利用者が事前に設定した情報と写真の補助的な情報を使用して写真を管理するため、写真そのものの内容による分類、管理を行うことは困難であった。
【０００３】
そこで、利用者が分類したい条件を設定することにより、写真を自動的に分類する技術が知られている（例えば、特許文献１参照）。ここで、写真を保存する容量は限りがあるが、撮影した画像はどのようなものでもすべて保存することを前提としており、自動的に写真の分類を行い、必要な写真のみを保存することは困難であった。
【先行技術文献】
【特許文献】
【０００４】
【特許文献１】特開２００７−９４５１８号公報
【発明の概要】
【発明が解決しようとする課題】
【０００５】
近年、撮影装置の高画素化が進み、１枚の写真のファイルサイズが非常に大きくなってきている。よって、従来のように撮影した写真をすべて保存する場合、ＳＤカード（登録商標）や、ｍｉｃｒｏＳＤ等のような半導体メモリでは容量が足りず、大容量のハードディスクが必要になってしまうといった問題点があった。
【０００６】
更に、撮影装置として利用される携帯電話やデジタルカメラ等の表示画面は小さく、保存されている写真を閲覧するときに、表示画面に表示できる情報量（画像）にも限界がある。そのために、視認性を上げるためには、１枚から多くとも数枚程度しか表示できず、大量の写真を閲覧するには適していなかった。
【０００７】
とくに、連写機能を利用して撮影したり、同じ被写体を複数枚撮影したりした場合、類似する画像が保存されることとなるが、それらの画像を表示させた場合、表示画面に類似する画像しか表示されず、使い勝手が良いものとはいえなかった。
【０００８】
上述した課題に鑑み、本発明が目的とするところは、類似する画像について効率的に保存・表示する手段を提供することにより、利用者にとって使い勝手の良い撮影装置を提供することである。
【課題を解決するための手段】
【０００９】
上述した課題に鑑み、本発明の撮影装置は、撮影により画像を取得する撮影部と、前記撮影部により撮影された画像を記憶する記憶部と、前記記憶部に記憶されている画像を表示する表示部と、を備えた撮影装置において、画像を解析して特徴点を抽出する画像解析部と、前記撮影部により撮影された画像の特徴点と、前記記憶部に記憶されている画像の特徴点を比較し、撮影された画像に類似する画像が前記記憶部に記憶されているか否かを判定する類似画像判定部と、前記記憶部は、前記類似画像判定部により、前記撮影部により撮影された画像が、前記記憶部に記憶されていないと判定された場合に、前記撮影部により撮影された画像を記憶することを特徴とする。
【００１０】
また、本発明の撮影装置は、前記画像が、撮影部により取得されたときの固有データを管理する固有データ管理部を更に備え、前記類似画像判定部は、前記撮影部により撮影された画像の固有データと、前記記憶部に記憶されている画像の固有データとを比較することにより、撮影された画像に類似する画像が前記記憶部に記憶されているか否かを判定することを特徴とする。
【００１１】
また、本発明の撮影装置において、前記撮影部により撮影された画像の固有データと、前記類似画像判定部により判定された類似する画像の固有データとを比較し、前記撮影部により撮影された画像の撮影条件の方が良い場合には、前記撮影部により撮影された画像を記憶し、類似する画像を破棄することを特徴とする。
【００１２】
また、本発明の撮影装置は、画像を記憶するために、前記記憶部とは異なる補助記憶部を更に備えることを特徴とする。
【００１３】
また、本発明の撮影装置は、前記記憶部に記憶されている画像を選択する画像選択部を更に備え、前記画像選択部により選択された画像の特徴点と、前記記憶部に記憶されている別の画像の特徴点を比較し、選択された画像に類似する画像が前記記憶部に記憶されているか否かを判定し、前記選択部により選択された画像に類似する画像が、前記記憶部に記憶されている場合には、前記画像選択部により選択された画像と類似している画像は表示しないか、前記画像選択部により選択された画像と類似している画像のみを表示することを特徴とする。
【発明の効果】
【００１４】
本発明の撮影装置によれば、画像を解析して特徴点を抽出し、撮影された画像の特徴点と、記憶部に記憶されている画像の特徴点を比較し、撮影された画像に類似する画像が前記記憶部に記憶されているか否かを判定し、撮影部により撮影された画像が、記憶部に記憶されていないと判定された場合に、前記撮影部により撮影された画像が記憶されることとなる。したがって、撮影した画像と類似する画像が記憶部に既に記憶されている場合には、撮影された画像は記憶部に記憶されないことから、効率的に画像を記憶することができるようになる。
【００１５】
また、本発明の撮影装置によれば、画像が、撮影部により取得されたときの固有データを管理する固有データ管理部を更に備え、撮影部により撮影された画像の固有データと、記憶部に記憶されている画像の固有データとを比較することにより、撮影された画像に類似する画像が記憶部に記憶されているか否かを判定することとなる。したがって、撮影された画像と、記憶部に記憶されている画像とが類似しているか否かを固有データに基づいて判定することができ、固有データが類似している画像については保存されないこととなる。
【００１６】
また、本発明の撮影装置によれば、撮影部により撮影された画像の固有データと、類似画像判定部により判定された類似する画像の固有データとを比較し、撮影された画像の撮影条件の方が良い場合には、撮影された画像を記憶し、類似する画像を破棄することとなる。したがって、記憶部には、条件のよい適切な画像が記憶されることとなる。
【００１７】
また、本発明の撮影装置によれば、画像を、前記記憶部とは異なる補助記憶部補助記憶部に記憶することができる。したがって、記憶部に記憶でない画像について、削除しないで、補助記憶部に記憶しておき、必要なときに記憶部に読み出して表示させることができる。
【００１８】
また、本発明の撮影装置によれば、記憶部に記憶されている画像を選択する画像選択部を更に備え、画像選択部により選択された画像の特徴点と、記憶部に記憶されている画像の特徴点を比較し、撮影された画像に類似する画像が記憶部に記憶されているか否かを判定し、選択部により選択された画像に類似する画像が、記憶部に記憶されている場合には、画像選択部により選択された画像と類似する画像は表示しないことを特徴とする。したがって、表示部には、類似する画像が表示されないこととなり、表示部の表示領域の大きさが限られているときに、類似する画像を表示することなく効率よく画像を表示することが可能となる。
【００１９】
したがって、画像を閲覧する場合にも類似した画像が少ないため、小さい画面に複数枚の写真を表示した場合でも視認性が上がり、目視による画像の検索、確認が容易になる。
【００２０】
また、選択された画像と類似する画像のみを表示することも可能となり、不要な類似した画像を手動で削除したい場合でも類似画像の確認が容易になる。
【図面の簡単な説明】
【００２１】
【図１】本実施形態における携帯電話の外観を示す図である。
【図２】本実施形態における携帯電話の機能構成を説明するための図である。
【図３】本実施形態における画像分類部及び保存データ管理部の機能構成を説明するための図である。
【図４】本実施形態における固有データについて説明するための図である。
【図５】本実施形態における画像保存処理について説明するための動作フローである。
【図６】本実施形態における類似画像処理について説明するための動作フローである。
【図７】本実施形態における類似画像処理について説明するための動作フローである。
【図８】本実施形態における類似画像処理について説明するための動作フローである。
【図９】本実施形態における画像表示処理について説明するための動作フローである。
【図１０】本実施形態における画像表示処理の動作について説明するための図である。
【図１１】本実施形態における画像表示処理について説明するための動作フローである。
【図１２】本実施形態における画像表示処理の動作について説明するための図である。
【図１３】本実施形態における画像表示処理について説明するための動作フローである。
【図１４】本実施形態における画像表示処理の動作について説明するための図である。
【発明を実施するための形態】
【００２２】
つづいて、本発明の撮影装置を、写真撮影機能付きの携帯電話に適用した場合を例にとって説明する。
【００２３】
［１．装置外観］
図１は、本実施形態における携帯電話１の外観を説明するための図である。図１（ａ）は携帯電話１の正面図、図１（ｂ）は携帯電話１の背面図である。
【００２４】
図１に示すように、携帯電話１は、撮影された画像や、各種機能の状態を利用者に報知するための表示部３０（例えば、液晶ディスプレイ）と、利用者からの操作入力を受け付ける入力部２５、被写体を撮影するための撮影部２０（例えばＣＣＤカメラ）等を備えて構成されている。
【００２５】
［２．機能構成］
［２．１  全体構成］
図２は、本実施形態における携帯電話１の機能構成の一例を説明するためのブロック図である。携帯電話１は、制御部１０に、通信部１５と、音声入出力部１８と、撮影部２０と、入力部２５と、表示部３０と、画像分離部４０と、保存データ管理部５０と、記憶部６０と、補助記憶部７０とがバスを介して接続されている。
【００２６】
制御部１０は、携帯電話１の動作を制御するための機能部であり、ＣＰＵ等の携帯電話１に必要な制御回路によって構成されている。また、制御部１０は、後述する記憶部６０に記憶されている各種プログラムを読み出して実行することにより各種処理を実現することができる。例えば、画像保存プログラム６４を読み出して実行することにより画像保存処理を実現し、類似画像プログラム６６を読み出して実行することにより類似画像処理を実現し、画像表示プログラム６８を読み出して実行することにより画像表示処理を実現する。
【００２７】
通信部１５は、携帯電話１が基地局と通信を行うための機能部である。音声入出力部１８により入力された音声を、通信部１５を介して送信する。また、通信部１５を介して受信された音声データが、音声入出力部１８を介して接続される。
【００２８】
なお、通信部１５及び音声入出力部１８は、携帯電話１が携帯電話として機能する場合に必要な構成要素であるが、本願発明を説明するために直接必要ではないため、その詳細な説明を省略する。
【００２９】
撮影部２０は、被写体を撮影し、画像として出力する機能部である。被写体を撮影し、生成された画像は、記憶部６０や、補助記憶部７０に記憶される。
【００３０】
入力部２５は、利用者からの操作入力を受け付ける機能部であり、本実施形態においては、例えば操作ボタン（ダイヤルボタン）により構成されている。なお、利用者からの操作入力を受け付ける機能を実現できれば他の装置構成（例えば、タッチパネル等）であっても良いことは勿論である。
【００３１】
表示部３０は、利用者に対する報知指示や、操作画面、画像等を表示するための機能部である。ここで、表示部３０としては、例えば液晶ディスプレイ（ＬＣＤ）や、有機ＥＬパネル等の各種表示装置が想定される。
【００３２】
画像分類部４０及び保存データ管理部５０は、撮影された画像及び記憶部６０（補助記憶部７０）に保存された画像に対して各種処理を実現する機能部であり、その詳細な説明については後述する。
【００３３】
記憶部６０は、携帯電話１が各種処理を実行し、機能を実現するためのプログラムや、各種データを記憶している機能部である。また、各種プログラムを展開したり、データを読み出したりするといった、主記憶装置としての機能を有している。記憶部６０の構成としては、例えばＤＲＡＭ等の半導体メモリや、ＨＤＤ等の磁気ディスク等、いずれの記憶装置であっても良い。
【００３４】
ここで、記憶部６０には、画像を記憶するための領域である画像記憶領域６２が確保されており、また、プログラムとして画像保存プログラム６４と、類似画像プログラム６６と、画像表示プログラム６８とが記憶されている。
【００３５】
補助記憶部７０は、携帯電話１において、各種データや画像を保存するための機能部である。制御部１０は、補助記憶部７０が利用可能か否か（例えば記憶容量が確保出来るか否か）を検知可能である。
【００３６】
ここで、補助記憶部７０は、記憶部６０と異なる場所に画像データを保存できるものである。例えば、携帯電話１に内蔵する別の記憶領域であったり、ＳＤカード（登録商標）等の外部記憶装置が携帯電話１に接続されており、当該外部記憶装置であったりしてもよい。
【００３７】
［２．２  画像分類部及び保存データ管理部の構成］
続いて、画像分類部４０及び保存データ管理部５０の詳細な構成について、図３を用いて説明する。図３に示すように、画像分類部４０に、画像が入力される。ここで、画像分類部４０に入力される画像は、撮影部２０により撮影された画像であっても良いし、記憶部６０の画像記憶領域６２に記憶されている画像や、通信部１５により受信された画像であっても良い。
【００３８】
画像分類部４０は、画像解析部４２と、画像処理部４４と、画像比較部４６とを備えて構成されている。
【００３９】
画像処理部４４は、画像分類部４０に入力された画像について各種処理を施す機能部である。また、画像処理部４４に各種処理を施された画像は、保存データ管理部５０に出力される。
【００４０】
画像解析部４２は、入力された画像から特徴点を抽出するための機能部である。例えば、入力された画像の色情報、濃度情報及び輝度情報等の情報から、入力された画像の特徴点を抽出する。なお、画像から特徴点を抽出する方法としては、既に知られている技術の何れを用いても良く、その詳細な方法についての説明は省略する。抽出された特徴点は、特徴点管理部５４により管理される。
【００４１】
画像比較部４６は、複数の画像が類似しているか否かを比較するための機能部である。画像が類似するか否かを判定する方法としては、例えば画像より抽出された特徴点がどの程度類似しているかにより判定したり、画像に対する固有データを比較したりすることにより判定する。なお、類似点による類似画像の判定については、公知の技術であるため、その詳細な説明を省略する。
【００４２】
保存データ管理部５０は、画像分類部４０から入力された画像に基づいて各種処理を実行し、表示部３０に出力する機能部である。保存データ管理部５０は、データ管理部５２と、特徴点管理部５４と、固有データ管理部５６と、データ出力部５８とを備えて構成されている。また、データ管理部５２には、記憶部６０及び補助記憶部７０が接続されている。
【００４３】
データ管理部５２は、入力された画像を管理する機能部である。例えば、入力された画像を記憶部６０（補助記憶部７０）に保存するのか、破棄するのかを判定する。また、各画像に対して、特徴点管理部５４において管理されている特徴点や、固有データ管理部５６において管理されている固有データ等を画像に対応づけて管理している。
【００４４】
特徴点管理部５４は、画像解析部４２により抽出された画像の特等点を管理するための機能部である。
【００４５】
固有データ管理部５６は、入力された画像の固有情報について取得し管理する機能部である。ここで、固有データの一例を図４を用いて説明する。図４に示すように、固有データは、各画像（例えば「SH090401A01.JPG」）毎に、撮影日時（例えば、「2009/04/01 11:00:00」）と、撮影場所（例えば、緯度経度や、場所名）と、撮影条件（例えば、天候や、焦点距離、絞り値等）と、解析結果（例えば、画像の明るさ等）が画像毎に記憶されている。
【００４６】
データ出力部５８は、データ管理部により出力される画像をデコードし、表示部３０に出力する機能部である。
【００４７】
［２．３  構成の概要説明］
続いて、図２及び図３を用いて携帯電話１の動作について、処理の概要を説明する。撮影部２０において撮影された画像は、画像処理部４４でエンコード処理されると、画像解析部４２で撮影した画像の特徴点の抽出が行われる。
【００４８】
抽出した特徴点は画像ごとに保存データ管理部５０内にある特徴点管理部５４で管理される。また、撮影した画像が持つ固有データについても固有データ管理部５６で画像ごとに管理される。撮影された画像自体は、記憶部６０にデータ管理部５２によって記憶部６０（補助記憶部７０）に保存される。
【００４９】
次の画像が撮影されると、入力画像として１枚目と同様に処理される。すなわち、入力画像の特徴点が抽出され、保存データ管理部５０において、それぞれのデータが保存・管理されるが、すでに保存されている画像（保存画像）がある場合、データ管理部５２が保存画像の特徴点、固有データを画像比較部４６に送り、画像比較部４６が、入力画像との比較を行う。
【００５０】
そのとき、保存画像と、入力画像とが類似する場合、その最新の入力画像と、特徴点及び固有データ等の撮影データは、データ管理部５２によって各種処理がなされる。例えば、記憶部６０への保存は行わず、データを破棄したり、補助記憶部７０に保存したりする。
【００５１】
ここで、類似する画像とは、特徴点管理部５４で管理されているデータが類似している画像のことである。ただし、特徴点が類似していても、撮影日時、場所、天気などの固有データ管理部５６で管理されている固有データが一致していない場合は、保存することもできる。このようにすることで、似たような山の写真でも、例えば、場所が違えば、その画像は破棄されることなく、保存することが可能となる。このように撮影した画像が処理されることで、記憶部６０に保存される写真には、類似する画像はなく、いろいろな画像を効率的にメモリに保存することができる。
【００５２】
また、保存されている画像を閲覧するとき、記憶部６０に保存されている画像をデータ管理部５２が取り出し、データ出力部５８を介して、表示部３０へ出力するが、記憶部６０には類似した画像が保存されておらず、表示できる枚数に制限のある表示画面（領域）の小さい携帯端末でもいろいろな画像を特に操作の必要なく、表示することが可能となる。
【００５３】
小さい画面内で、複数枚小さい画像が表示されるときに、類似した画像が何枚も表示され、目的の画像を探すことが困難になるようなことなく、閲覧が容易になる。また、データ管理部５２にて閲覧時の条件を設定してやることで、画面に表示される画像をフィルタリングし、より視認性を高めることも可能となる。例えば、特徴点が類似しているが、固有データ管理部５６で管理されているデータが異なる写真のみを表示することができる。こうすることで、同じ風景の写真でも時刻や天気によって違う様相を見せる写真の一覧を表示することが可能となる。
【００５４】
また、データ管理部５２によって破棄された画像が補助記憶部７０にある場合、特徴点管理部５４と固有データ管理部５６とで管理されているデータが類似しているために破棄された画像の一覧を表示することができる。こうすることで、利用者はその中から一番気に入った画像を記憶部６０へ保存されている写真と交換することも可能となる。
【００５５】
また、画像比較部４６によって類似していると判断された画像をデータ管理部５２が破棄する場合、単純に後から撮影されたものを優先的に保存する（又は先にあるものを優先的に保存する）か、画像解析部４２の解析結果で画像のコントラスト、構成、ヒストグラムなどの情報を固有データ管理部５６で管理することで、より綺麗な画像を優先的に保存することも可能となる。
【００５６】
また、画像閲覧時に、ユーザーが何枚も残したい画像があると判断した場合は、データ管理部５２へその画像を登録してやることで、以後、データ管理部５２はその画像と類似していると判断され、画像は処分されることなく記憶部６０へ保存することも可能となる。当然、記憶部６０の記憶容量には限りがあるため、保存する枚数を設定し、それを超えると処分することで、効率的なメモリ使用を妨げることがないようにできる。
【００５７】
また、ここでは管理、保存される画像は撮影したものについて記述しているが、別の記憶メディア内に保存されている画像や、通信部１５により受信された画像等に対しても同様の処理を行うことも可能である。
【００５８】
［３．携帯電話の処理の流れ］
続いて、フローチャートを用いて、携帯電話１が実行する各処理について説明する。
【００５９】
［３．１  画像保存処理］
まず、入力画像を通常の保存をするか、類似画像として判断して処理を行うかについての処理である画像保存処理について図５を用いて説明する。画像保存処理は、制御部１０が、画像保存プログラム６４を読み出して実行することにより実現する処理である。
【００６０】
まず、画像が入力される（ステップＳ１００）。ここで、入力される画像（入力画像）は、撮影部２０により撮影された画像でも良いし、他の入力手段や通信手段に入力された画像（例えば通信部１５を介して受信される画像）でも良い。
【００６１】
続いて、画像解析部４２は入力画像を解析し、特徴点を抽出する（ステップＳ１０２）。ここで、入力画像の特徴点に類似した画像が、記憶部６０又は補助記憶部７０に保存されている画像（保存画像）にあるか否かが画像比較部４６により判定される（ステップＳ１０４）。
【００６２】
保存画像に類似した画像が無い場合は（ステップＳ１０４；Ｎｏ）、入力画像は保存される（ステップＳ１０８）。ここでは、記憶部６０に保存されることとして説明するが、利用者の設定により外部記憶部７０に保存されることとしてもよいことはもちろんである。
【００６３】
他方、入力画像に類似した画像があった場合には、固有データに類似した保存画像があるか否かを判定する（ステップＳ１０４；Ｙｅｓ→ステップＳ１０６）。ここで、固有データが類似した保存画像がある場合は（ステップＳ１０６；Ｙｅｓ）、類似画像処理を実行する（ステップＳ１１０）。他方、固有データに類似する画像が無いと判断された場合には（ステップＳ１０６；Ｎｏ）、入力画像が保存される（ステップＳ１０８）。
【００６４】
［３．２  類似画像処理］
続いて、類似画像処理について図６〜図８を用いて説明する。類似画像処理は、制御部１０が、類似画像プログラム６６を読み出して実行することにより実現する処理であり、図５のステップＳ１１０において実行される処理である。
【００６５】
（１）補助記憶部に入力画像を保存する場合
図６の類似画像処理について説明する。図６の類似画像処理は、入力画像を保存する領域として補助記憶部７０を用いる場合について示している。
【００６６】
まず、補助記憶部７０が使用可能か否かを判定する（ステップＳ２００）。ここで、補助記憶部７０が使用できない場合には（ステップＳ２００；Ｎｏ）、入力画像は破棄されることとなる（ステップＳ２０２）。
【００６７】
他方、補助記憶部７０が使用可能な場合には（ステップＳ２００；Ｙｅｓ）、補助記憶部７０の使用が認められているか否かを判定する（ステップＳ２０４）。ここで、補助記憶部７０の使用が認められている場合には、補助記憶部７０に入力画像が保存される（ステップＳ２０４；Ｙｅｓ→ステップＳ２０６）。また、補助記憶部７０の使用が認められていない場合には（ステップＳ２０４；Ｎｏ）、入力画像を破棄する（ステップＳ２０２）。
【００６８】
（２）複数の画像の保存が許可されている場合
図７の類似画像処理について説明する。図７の類似画像処理は、類似する画像の複数保存が許可されている場合の処理について示している。
【００６９】
まず、画像について複数の保存が認められているか否かを判定する（ステップＳ２２０）。複数の保存が許可されていない場合には、既に保存されている保存画像を残すか否かを判定する（ステップＳ２２０；Ｎｏ→ステップＳ２２２）。
【００７０】
ここで、保存画像を残さない場合には、保存画像を削除し、代わりに入力画像を保存する（ステップＳ２２２；Ｎｏ→ステップＳ２２４）。また、保存画像を残す場合には、入力画像を破棄する（ステップＳ２２２；Ｙｅｓ→ステップＳ２２６）。
【００７１】
他方、ステップＳ２２０において、複数保存が許可されている場合には（ステップＳ２２０；Ｙｅｓ）、保存可能枚数（すなわち、記憶部６０又は補助記憶部７０の記憶容量）を超えていないか判定する。そして、保存可能枚数を超えていない場合には、入力画像を保存し（ステップＳ２３０；Ｙｅｓ→ステップＳ２３２）、保存可能枚数を超えている場合にはステップＳ２２２に処理を移行する（ステップＳ２３０；Ｎｏ→ステップＳ２２２）。
【００７２】
（３）撮影条件の良い画像を保存する場合
図８の類似画像処理について説明する。図８の類似画像処理は、入力画像と保存画像のうち、撮影条件の良い方の画像を保存する場合の処理について示している。
【００７３】
入力画像と保存画像との固有データを画像比較部４６により比較する（ステップＳ２５０）。ここで、固有データから、入力画像の撮影条件の方が、保存画像の撮影条件より良い場合には、保存画像を削除し、入力画像を保存する（ステップＳ２５２；Ｙｅｓ→ステップＳ２５６）。
【００７４】
他方、入力画像の撮影条件より、保存画像の撮影条件の方が良い場合には、入力画像を破棄する（ステップＳ２５２；Ｎｏ→ステップＳ２５４）。
【００７５】
なお、ここで撮影条件が良いとは、種々の場合が考えられるが、例えば設定により天候が雨で撮影されたものより晴れで撮影されたものを優先させるという場合や、絞り値が小さい方が撮影条件が良い画像と判定し、優先させるなどが考えられる。
【００７６】
［３．３  画像表示処理］
続いて、画像表示処理について図９〜図１４を用いて説明する。画像表示処理は、制御部１０が、画像表示プログラム６８を読み出して実行することにより実現する処理である。画像表示処理は、表示部３０に保存画像の（一覧）表示を行う場合について実行される処理である。
【００７７】
（１）表示画像に類似する画像がある場合
図９の画像表示処理について説明する。図９の画像表示処理は、次に表示する画像と類似する画像が、表示部３０に表示されている画像（以下、「表示画像」という）の中に有る場合には表示しない処理について示している。
【００７８】
まず、表示部３０に表示画像が表示されている状態の中で、制御部１０により次に表示する画像が選択される（ステップＳ３００）。ここで、表示部３０に次に表示されるために選択された画像を「選択画像」という。
【００７９】
そして、既に表示されている表示画像に類似している画像があるか否かを判定する（ステップＳ３０２）。ここで、選択画像に類似した画像が表示されていない場合には、選択画像を表示部３０に表示し（ステップＳ３０２；Ｎｏ→ステップＳ３０４）、選択画像に類似した画像が既に表示されている場合には、選択画像を表示しない（ステップＳ３０２；Ｙｅｓ→ステップＳ３０６）。
【００８０】
このようにすることで、似たような画像が小さい画面に何枚も表示されることもなく、それぞれの画像が異なっているため、視認性があがり、希望する画像をすぐに見つけることが可能となり、ユーザーの画像閲覧が容易になる。この動作フローで実行された場合の表示動作のイメージを図１０の表示画面Ｗ１００として示す。
【００８１】
（２）固有データが同じ画像を表示しない場合
図１１の画像表示処理について説明する。図１１の画像表示処理は、次に表示する画像と類似する画像があった場合であっても、固有データが同じでなければ表示する処理について説明する。
【００８２】
まず、表示部３０に表示画像が表示されている状態の中で、制御部１０により選択画像が選択される（ステップＳ３２０）。ここで、選択画像と同じ固有データをもつ表示画像があるか否かを判定する（ステップＳ３２２）。
【００８３】
表示画像と同じ固有データを持つ表示画像が無い場合は、選択画像を表示する（ステップＳ３２２；Ｎｏ→ステップＳ３２４）。他方、選択画像と同じ固有データを持つ表示画像が既に表示されている場合には、選択画像を表示しない（ステップＳ３２２；Ｙｅｓ→ステップＳ３２６）。
【００８４】
このようにすることで、画面には類似しているが固有データの異なる画像のみが表示されることになり、同じような風景でも撮影した場所が異なる画像や、季節の異なる画像のみを表示することが可能になる。この処理フローでの表示動作のイメージを図１２の表示画面Ｗ２００として示す。
【００８５】
（３）類似する画像のみを表示する場合
図１３の画像表示処理について説明する。図１３の画像処理は、類似する画像のみを表示する処理について説明する。
【００８６】
まず、表示部３０に表示画像が表示されている状態の中で、制御部１０により選択画像が選択される（ステップＳ３４０）。ここで、選択画像に類似する画像が表示画像にあるか否かを判定する（ステップＳ３４２）。
【００８７】
ここで、表示画像に類似した画像が無い場合には、選択画像を表示しない（ステップＳ３４２；Ｎｏ→ステップＳ３４４）。他方、選択画像に類似した画像が表示画像にある場合は（ステップＳ３４２；Ｙｅｓ）、表示画像と選択画像との固有データが類似しているか否かを判定する（ステップＳ３４６）。
【００８８】
ここで、表示画像と、選択画像との固有データが類似していない場合には、選択画像を表示しない（ステップＳ３４６；Ｎｏ→ステップＳ３４４）。他方、表示画像と、選択画像との固有データが類似している場合には、選択画像を表示する（ステップＳ３４６；Ｙｅｓ→ステップＳ３４８）。
【００８９】
このようにすることで、画面には同一の画像と思われるもののみが表示される。この状態で利用者は、同じような画像の中から一番気に入った画像を選択し、その画像が補助記憶部７０にある場合は、記憶部６０の方へ保存しなおすこともできる。この処理フローでの表示動作のイメージを図１４の表示画面Ｗ３００として示す。
【００９０】
［４．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【００９１】
１  携帯電話
１０  制御部
１８  音声入出力部
２０  撮影部
２５  入力部
３０  表示部
４０  画像分離部
４２  画像解析部
４４  画像処理部
４６  画像比較部
５０  保存データ管理部
５２  データ管理部
５４  特徴点管理部
５６  固有データ管理部
５８  データ出力部
６０  記憶部
６２  画像記憶領域
６４  画像保存プログラム
６６  類似画像プログラム
６８  画像表示プログラム
７０  補助記憶部
【図１】
2010278927.tif 000003
【図２】
2010278927.tif 000004
【図３】
2010278927.tif 000005
【図４】
2010278927.tif 000006
【図５】
2010278927.tif 000007
【図６】
2010278927.tif 000008
【図７】
2010278927.tif 000009
【図８】
2010278927.tif 000010
【図９】
2010278927.tif 000011
【図１０】
2010278927.tif 000012
【図１１】
2010278927.tif 000013
【図１２】
2010278927.tif 000014
【図１３】
2010278927.tif 000015
【図１４】
2010278927.tif 000016